(57)【特許請求の範囲】
【請求項１】
気体が封入される気柱管と、
前記気柱管の長手方向に、常温よりも高温の熱源と熱交換を行う第１の熱交換器、温度勾配を保持する第１の再生器、及び、常温の熱源と熱交換を行う第２の熱交換器を配置した原動機と、
前記気柱管の長手方向に、常温よりも低温の熱が取り出される第３の熱交換器、温度勾配を保持する第２の再生器、及び、常温の熱源と熱交換を行う第４の熱交換器を配置した冷凍機と、
前記第３の熱交換器と隣接する前記気柱管に配設されて該気柱管に封入された気体の循環流を抑止する遮断壁と、
を備える熱音響冷凍装置であって、
前記気柱管の前記第２の再生器が配置される位置に、該気柱管よりも内径を長くした第１の拡径部が形成されると共に、前記第２の再生器の外径が前記第１の拡径部の内径と同一径に形成され、且つ、前記第２の再生器の長手方向の両端の一部が前記気柱管により閉塞されることを特徴とする熱音響冷凍装置。
【請求項２】
前記気柱管の前記遮断壁が配置される位置に、該気柱管よりも内径を長くした第２の拡径部がさらに形成されると共に、前記遮断壁を前記第２の拡径部内に設けてその表面積を拡張した請求項１に記載の熱音響冷凍装置。
【請求項３】
前記遮断壁は、前記第２の拡径部の幅方向中心位置に設けられると共に、前記第２の拡径部の幅方向長さは、前記遮断壁の最大振幅よりも長く形成される請求項２に記載の熱音響冷凍装置。
【発明の詳細な説明】
【技術分野】
【０００１】
本発明は、熱音響冷凍装置に関し、特に、気柱管内に封入された気体に熱音響効果により自励振動を発生させ、この自励振動を利用して冷凍処理を行う熱音響冷凍装置に関する。
【背景技術】
【０００２】
図１０に示すように、一般的な熱音響冷凍装置５０は、気体が封入されたループ状の気柱管５１に原動機５２と冷凍機５３とを配設して構成されている。熱音響冷凍装置５０では、原動機５２に外部からの熱が加えられると音波が発生し、この音波の音響パワーが気柱管５１を介して冷凍機５３に流れ込むと、冷凍機５３の温度を低下させることで、対象物の冷凍（冷却）に寄与するようになっている。
【０００３】
原動機５２は、気柱管５１の長手方向に、常温よりも高温状態の熱源と熱交換を行う加熱部熱交換器５４と、常温の熱源と熱交換を行う常温部熱交換器５５と、これら加熱部・常温部の熱交換器５４，５５間で温度勾配を保持する再生器５６とを配置して構成されている。この原動機５２では、気柱管５１内の気体が加熱部熱交換器５４で常温よりも高温となり、常温部熱交換器５５で常温となることで、再生器５６に温度勾配が形成される。そして、この時に発生する熱エネルギの一部が力学的エネルギである音響エネルギに変換されて、気柱管５１内の気体が自励振動を起こすことで、気柱管５１内に音響振動、すなわち音波を発生させる。
【０００４】
冷凍機５３は、気柱管５１の長手方向に、常温よりも低温の熱が取り出されるクーラ部熱交換器５７と、常温の熱源と熱交換を行う常温部熱交換器５８と、これらクーラ部・常温部の熱交換器５７，５８間で温度勾配を保持する再生器５９とを配置して構成されている。この冷凍機５３では、逆スターリングサイクルと同様のサイクルが行われ、クーラ部熱交換器５７の気体は常温よりも低温となる。そして、この低温と外部の媒体との間で熱交換が行われることで、対象物は冷凍（冷却）される。
【０００５】
原動機５２及び、冷凍機５３の常温部熱交換器５５，５８では、図示しない外部から供給される冷却水等の熱媒体との熱交換により、気体の温度は常温に保たれている。
【先行技術文献】
【特許文献】
【０００６】
【特許文献１】特開２０１１−２１５３号公報
【特許文献２】特開２００６−２１４４０６号公報
【発明の概要】
【発明が解決しようとする課題】
【０００７】
ところで、上述した従来の熱音響冷凍装置では、封入されている気体は気柱管内を移動して循環することができる。そのため、クーラ部熱交換器５７で低温となった気体（冷気）が拡散すると、この気体がクーラ部熱交換器５７から離間することで、クーラ部熱交換器５７の冷却効率は低下する。
【０００８】
例えば、図１０に示す気柱管５１においては、気柱管５１内に封入された気体は、冷凍機５３のクーラ部熱交換器５７から再生器５９、常温部熱交換器５８を通り、ループを通って原動機５２へと移動する。さらに、気体は原動機５２の加熱部熱交換器５４から再生器５６、常温部熱交換器５５を通り、ループを通って冷凍機５３へと移動する。その結果、気柱管５１内には、図１０中に矢印で示すようなループに沿った循環流が発生する。
【０００９】
このような循環流を抑制すべく、例えば図１１に示すように、気柱管５１内のクーラ部熱交換器５７と隣接する位置に、気体の流れを遮断する遮断壁６０を配設することが考えられる。遮断壁６０を設けることで、クーラ部熱交換器５７から気柱管５１を通って常温部熱交換器５８側に流れるエネルギが遮断され、冷凍機出力の向上を図ることができる。しかしながら、原動機５２側の出力が大きくなると、気体の振動振幅が増大されて再生器５９よりも長くなり（図１１中の矢印Ｘ参照）、クーラ部熱交換器５７の冷凍エネルギが再生器５９を介して常温部熱交換器５８に運ばれる所謂ドリームパイプ効果により、出力の低下を引き起こす可能性がある。
【００１０】
本発明は、このような点に鑑みてなされたもので、その目的は、クーラ部熱交換器の冷凍エネルギが再生器を介して常温部熱交換器に運ばれるドリームパイプ効果を低減して、原動機の出力が大きくなった場合においても冷凍機の出力を効果的に向上させることにある。
【課題を解決するための手段】
【００１１】
上記目的を達成するため、本発明の熱音響冷凍装置は、気体が封入される気柱管と、前記気柱管の長手方向に、常温よりも高温の熱源と熱交換を行う第１の熱交換器、温度勾配を保持する第１の再生器、及び、常温の熱源と熱交換を行う第２の熱交換器を配置した原動機と、前記気柱管の長手方向に、常温よりも低温の熱が取り出される第３の熱交換器、温度勾配を保持する第２の再生器、及び、常温の熱源と熱交換を行う第４の熱交換器を配置した冷凍機と、前記第３の熱交換器と隣接する前記気柱管に配設されて該気柱管に封入された気体の循環流を抑止する遮断壁と、を備える熱音響冷凍装置であって、前記気柱管の前記第２の再生器が配置される位置に、該気柱管よりも内径を長くした第１の拡径部が形成されると共に、前記第２の再生器の外径が前記第１の拡径部の内径と同一径に形成され、且つ、前記第２の再生器の長手方向の両端の一部が前記気柱管により閉塞されることを特徴とする。
【００１３】
また、前記気柱管の前記遮断壁が配置される位置に、該気柱管よりも内径を長くした第２の拡径部がさらに形成されると共に、前記遮断壁を前記第２の拡径部内に設けてその表面積を拡張してもよい。
【００１４】
また、前記遮断壁は、前記第２の拡径部の幅方向中心位置に設けられると共に、前記第２の拡径部の幅方向長さは、前記遮断壁の最大振幅よりも長く形成されてもよい。
【発明の効果】
【００１５】
本発明の熱音響冷凍装置によれば、クーラ部熱交換器の冷凍エネルギが再生器を介して常温部熱交換器に運ばれるドリームパイプ効果を低減して、原動機の出力が大きくなった場合においても冷凍機の出力を効果的に向上することができる。
【図面の簡単な説明】
【００１６】
【図１】本発明の一実施形態に係る熱音響冷凍装置を示す模式的な構成図である。
【図２】本発明の一実施形態に係る熱音響冷凍装置の要部を示す模式的な断面図である。
【図３】（ａ）は、従来の遮断壁を示す模式的な断面図。（ｂ）は、本発明の一実施形態に係る熱音響冷凍装置の遮断壁を示す模式的な断面図である。
【図４】他の実施形態に係る熱音響冷凍装置の要部を示す模式的な断面図である。
【図５】他の実施形態に係る熱音響冷凍装置を示す模式的な構成図である。
【図６】他の実施形態に係る熱音響冷凍装置を示す模式的な構成図である。
【図７】他の実施形態に係る熱音響冷凍装置を示す模式的な構成図である。
【図８】他の実施形態に係る熱音響冷凍装置を示す模式的な構成図である。
【図９】他の実施形態に係る熱音響冷凍装置の遮断壁を示す模式的な断面図である。
【図１０】従来の熱音響冷凍装置を示す模式的な構成図である。
【図１１】従来の熱音響冷凍装置の要部を示す模式的な断面図である。
【発明を実施するための形態】
【００１７】
以下、図１〜３に基づいて、本発明の一実施形態に係る熱音響冷凍装置を説明する。同一の部品には同一の符号を付してあり、それらの名称および機能も同じである。したがって、それらについての詳細な説明は繰返さない。
【００１８】
図１に示すように、本実施形態の熱音響冷凍装置１は、気体が封入される気柱管２に、原動機３と冷凍機４とを配設したものである。気柱管２は、単一のループ状に形成されており、このループに原動機３と冷凍機４とが適切な間隔で配置されている。
【００１９】
原動機３は、気柱管２の長手方向に、常温よりも高温状態の熱源と熱交換を行う加熱部熱交換器（第１の熱交換器）５と、常温の熱源と熱交換を行う常温部熱交換器（第２の熱交換器）６と、これら加熱部・常温部の熱交換器５，６間で温度勾配を保持する再生器（第１の再生器）７とを配置して構成されている。
【００２０】
冷凍機４は、気柱管２の長手方向に、常温よりも低温の熱が取り出されるクーラ部熱交換器（第３の熱交換器）８と、常温の熱源と熱交換を行う常温部熱交換器（第４の熱交換器）９と、これらクーラ部・常温部の熱交換器８，９間で温度勾配を保持する再生器（第２の再生器）１０とを配置して構成されている。なお、冷凍機４の一部を構成する再生器１０は、その外径を気柱管２の内径よりも長く（本実施形態では約２倍）形成されている。
【００２１】
図２に示すように、気柱管２の再生器１０が配置される位置には、気柱管２よりも内径を長くした（本実施形態では約２倍）第１の拡径部１１が形成されている。この第１の拡径部１１は、その幅方向（気柱管２の長手方向）の長さを再生器１０の幅方向長さと略同一に形成されている。また、第１の拡径部１１内には、この第１の拡径部１１の内径と外径を同一径に形成された再生器１０が収容されている。
【００２２】
気柱管２のクーラ部熱交換器８と隣接する位置には、気柱管２よりも内径を長くした（本実施形態では約２倍）第２の拡径部１２が形成されている。この第２の拡径部１２内には、気柱管２内の気体の振動に随伴して振動する遮断壁１３がクーラ部熱交換器８の側面と対向するように配置されている。
【００２３】
遮断壁１３は、第２の拡径部１２内に位置して気柱管２内の気体の循環流を抑止するように、その周縁部の全周を第２の拡径部１２の内周面１２ａ（本実施形態では、内周面１２ａの幅方向中心位置）に固定されている。すなわち、遮断壁１３は、気柱管２内の気体の振動により、その中央部が気柱管２の長手方向に振動して破線及び二点鎖線の状態に変形するように構成されている。なお、遮断壁１３は、気柱管２内の気体が反対側に漏れない程度の気密性を有し、かつ、その中央部が振動できる程度の柔軟性（弾性）を有することが好ましい。このような遮断壁１３としては、例えば比較的厚さが薄く形成された金属、ガラス、セラミックス、樹脂、ゴム、繊維などがある。
【００２４】
第２の拡径部１２は、その幅方向（気柱管２の長手方向）の長さＬが遮断壁１３の最大振幅よりも長くなるように形成されている。すなわち、第２の拡径部１２の幅方向中心に位置して設けられた遮断壁１３が最大振幅で振動した場合においても、遮断壁１３と第２の拡径部１２の内側面１２ｂ，１２ｃとの接触（干渉）が回避されるように構成されている。
【００２５】
なお、本実施形態において、第２の拡径部１２が形成される位置は、その幅方向の中心位置（遮断壁１３の位置）とクーラ部熱交換器８の側面との距離が遮断壁１３の最大振幅の５倍よりも近くなるように設定されている。これは、遮断壁１３を設けたことにより循環流は抑止されるが、遮断壁１３がクーラ部熱交換器８から遠くなると冷気の拡散が大きくなり、期待した効果を得られなくなるためである。第２の拡径部１２の幅方向の中心位置（遮断壁１３の位置）は、クーラ部熱交換器８の側面から遮断壁１３の最大振幅の５倍よりも近い位置が望ましく、最大振幅の２倍、１倍と近づくほど好適となる。最適位置は、冷気の拡散が最も小さくなる最大振幅の半分の位置である。
【００２６】
次に、本実施形態に係る熱音響冷凍装置１による作用効果について説明する。
【００２７】
本実施形態の熱音響冷凍装置１では、気柱管２の第１の拡径部１１内に収容された再生器１０は、その外径を気柱管２の内径よりも長く形成されている。すなわち、再生器１０の外径を長く（再生器１０を太く）形成したことで、図１０に示すような再生器５９を気柱管５１と同一径に形成した従来構造に比べて内部気体の振幅は短く抑制される（図２の矢印Ｙ参照）。結果として、内部気体の振幅は再生器１０内に収められ、クーラ部熱交換器８の冷凍エネルギが再生器１０を介して常温部熱交換器９に運ばれる所謂ドリームパイプ効果を効果的に抑制することができる。
【００２８】
したがって、本実施形態の熱音響冷凍装置１によれば、ドリームパイプ効果を低減することが可能になると共に、原動機３の出力が大きくなった場合においても冷凍機４の出力を効果的に向上することができる。
【００２９】
また、本実施形態の熱音響冷凍装置１では、気柱管２内の気体の循環流を抑止する遮断壁１３は、気柱管２よりも内径が長い第２の拡径部１２内に配設されている。すなわち、本実施形態の熱音響冷凍装置１では、図３（ａ）に示す気柱管５１内に遮断壁６０を直接的に設けた従来構造と比べて、遮断壁１３の表面積は第２の拡径部１２の分だけ拡張して形成されている。その結果、遮断壁１３の振幅は、従来構造の遮断壁６０の振幅に比べて小さく抑制されるようになっている（図３（ｂ）参照）。
【００３０】
したがって、遮断壁１３が気柱管２内の気体の振動と随伴して大きく振動することを効果的に抑制できると共に、遮断壁１３がクーラ部熱交換器８の側面に接触（干渉）して破損することを確実に防止することができる。
【００３１】
また、本実施形態の熱音響冷凍装置１では、第２の拡径部１２は、その中心位置に配設された遮断壁１３とクーラ部熱交換器８の側面との距離が遮断壁１３の最大振幅の５倍よりも近くなるように形成されている。
【００３２】
したがって、遮断壁１３がクーラ部熱交換器８から離間することで引き起こされる冷気の拡散を防止することができると共に、熱音響冷凍装置１の冷凍性能を効果的に向上することができる。
【００３３】
また、本実施形態の熱音響冷凍装置１では、第２の拡径部１２の幅方向の長さＬは、遮断壁１３の最大振幅よりも長く形成されている。
【００３４】
したがって、遮断壁１３が最大振幅で振動した場合においても、遮断壁１３と第２の拡径部１２の内側面１２ｂ，１２ｃとの接触（干渉）を確実に防止することができる。
【００３５】
なお、本発明は、上述の実施形態に限定されるものではなく、本発明の趣旨を逸脱しない範囲で、適宜変形して実施することが可能である。
【００３６】
例えば、図４に示すように、第１の拡径部１１の幅方向長さを気柱管２の常温部熱交換器９が配置される位置からクーラ部熱交換器８が配置される位置まで拡張して形成すると共に、これら常温部熱交換器９とクーラ部熱交換器８との外径を第１の拡径部１１の内径と同一径に太くして形成してもよい。この場合も上述の実施形態と同様の作用効果を奏することができる他、常温部熱交換器９とクーラ部熱交換器８とのフィン（不図示）の影響を回避して、内部気体の流路面積を一定に確保することが可能となる。
【００３７】
また、図５に示すように、気柱管２を冷凍機４が配設された冷凍機ループ管２ａと、原動機３が配設された原動機ループ管２ｂと、これら二つのループ管２ａ，２ｂを相互に接続する直線状の接続管２ｃとを備え構成してもよい。この場合も、再生器１０の外径を冷凍機ループ管２ａの内径よりも長く形成することで、上述の各実施形態と同様の作用効果を奏することができる。
【００３８】
また、図６に示すように、気柱管２を冷凍機４が配設された冷凍機ループ管２ａと、冷凍機ループ管２ａに接続されると共に原動機３が配設された直線状の接続管２ｃとを備えて構成してもよく、図７に示すように、気柱管２を原動機３が配設された原動機ループ管２ｂと、原動機ループ管２ｂに接続されると共に冷凍機４が配設された直線状の接続管２ｃとを備えて構成してもよい。さらに、図８に示すように気柱管２を直線状の配管のみで構成してもよい。この場合も、再生器１０の外径を長く形成することで、上述の各実施形態と同様の作用効果を奏することができる。
【００３９】
また、図９に示すように、遮断壁１３をピストン２１と一対のバネ部材２２とを備え構成してもよい。ピストン２１は、気柱管２の長手方向に間隔を隔てて対向配置された一対のピストンヘッド２３と、これら一対のピストンヘッド２３を連結するピストンロッド２４とを有する。ピストンロッド２４は一対のバネ部材２２により気柱管２の長手方向に移動可能に支持されている。気柱管２内の気体が振動すると、ピストン２１は破線及び、二点鎖線で示すように気柱管２内を長手方向に摺動移動して振動するように構成されている。係る構造により、遮断壁１３の全体は、図１〜８に示すものに比べて気柱管２の長手方向の幅は長くなるが、厚みのない剛体の遮断壁に仮想的に置き換えることが可能となる。
【符号の説明】
【００４０】
１  熱音響冷凍装置
２  気柱管
３  原動機
４  冷凍機
５  加熱部熱交換器（第１の熱交換器）
６  常温部熱交換器（第２の熱交換器）
７  再生器（第１の再生器）
８  クーラ部熱交換器（第３の熱交換器）
９  常温部熱交換器（第４の熱交換器）
１０  再生器（第２の再生器）
１１  第１の拡径部
１２  第２の拡径部
１３  遮断壁
【図１】
0005862250.tif 000002
【図３】
0005862250.tif 000003
【図５】
0005862250.tif 000004
【図６】
0005862250.tif 000005
【図７】
0005862250.tif 000006
【図８】
0005862250.tif 000007
【図９】
0005862250.tif 000008
【図１０】
0005862250.tif 000009
【図２】
0005862250.tif 000010
【図４】
0005862250.tif 000011
【図１１】
0005862250.tif 000012